(57)【特許請求の範囲】
【請求項１】
特定の画質に関する調整を画像全体について行う全体調整部と、
上記全体調整部によって特定の画質が調整された画像全体の中で、上記特定の画質の値の違いによって区分される一部の画像について、さらに上記特定の画質に関する調整を行う部分調整部と、
上記全体調整部に対する調整指示を入力するための全体調整用メニューと、上記部分調整部に対する調整指示を入力するための部分調整用メニューと、を並べて表示させる表示制御部と、
被写体像を撮像する撮像部と、
上記撮像部により撮像される画像データに画像処理を行う画像処理部と、
を備え、
上記全体調整部は、上記特定の画質として全体画像の解像感を、上記撮像部のピント位置で調整し、
上記部分調整部は、上記特定の画質として一部の画像の解像感を、上記画像処理部による画像処理によって調整する、
ことを特徴とする画質調整装置。
【請求項２】
被写体像を撮像する撮像部と、上記撮像部により撮像される画像データに画像処理を行う画像処理部と、上記画像処理部により画像処理さえる画像データを表示するための表示部を具備する画質調整装置の制御方法において、
画質の全体調整のための調整指示を入力するための全体調整用メニューと、画質の部分調整のための調整指示を入力するための部分調整用メニューと、を並べて上記表示部に表示させ、
特定の画質に関する調整を画像全体について行い、
上記全体調整によって特定の画質が調整された画像全体の中で、上記特定の画質の値の違いによって区分される一部の画像について、さらに上記特定の画質に関する調整を行い、
上記画像全体の中で上記特定の画質の値が相対的に大きい部分について上記特定の画質を調整する第１の部分調整を行い、上記画像全体の中で上記特定の画質の値が相対的に小さい部分について上記特定の画質を調整する第２の部分調整を行い、
部分調整用メニューとして、上記第１の部分調整への調整指示を入力するための第１部分調整用メニューと、上記第２の部分調整への調整指示を入力するための第２部分調整用メニューを上記表示部に表示させ、
上記特定の画質は解像感であって、
上記撮像部のピント位置の調整を行うことにより上記画像全体の解像度を調整し、
上記画像処理部により画像処理することによって、上記一部の画像の解像感を調整する、
ことを特徴とする画質調整装置の制御方法。
【発明の詳細な説明】
【技術分野】
【０００１】
本発明は、画質調整装置および画質調整方法に関し、詳しくは、画像の階調やピント位置等、画質を調整することの可能な画質調整装置および画質調整装置の制御方法に関する。
【背景技術】
【０００２】
カメラ等の画像を取り扱う装置においては、画像の階調やピント位置等、画質がユーザの狙い通りの画像が得られない場合がある。一般に、撮影は、主要被写体や画面の中央の所定のエリアを基準にして決められた露出値あるいはピント位置で行われる。このとき、階調差の大きい被写体、言い換えると、画面上で明るい部分と暗い部分に大きな差がある被写体では、顔が暗くつぶれたり、逆に空が白く飛んでしまい、画質がユーザの狙い通りにならないことがある。
【０００３】
そこで、画面の特定位置、例えば顔部分についてだけ階調補正ができるように、画面を分割し、選択された分割領域について階調補正を行うことのできる電子カメラが提案されている（特許文献１参照）。また、階調補正の手法として、輝度ヒストグラムの全体を平滑化するように階調補正する画像表示装置も提案されている（特許文献２参照）。
【先行技術文献】
【特許文献】
【０００４】
【特許文献１】特開２００８−０３５４５７号公報
【特許文献２】特開２００９−０１７３０６号公報
【発明の概要】
【発明が解決しようとする課題】
【０００５】
上述したように、被写体や個別シーンに合わせて、画面上で画質を細かく調整する要望は高い。また、輝度以外にも画像のボケ具合、あるいは色合いに関してきめ細かく調整することができれば、通常のカメラでオート撮影することに比べて、ユーザの好みにあった画像を得ることができる。しかし、上述の従来技術では、きめ細かく画質を調整したい場合でも、画面全体の調整あるいは特定の部分の調整を別々でしかできない。
【０００６】
本発明は、このような事情を鑑みてなされたものであり、画質の全体の調整と一部分の調整を比較しながら同時にできる画質調整装置および画質調整方法を提供することを目的とする。
【課題を解決するための手段】
【００１１】
第１の発明に係わる画質調整装置は、特定の画質に関する調整を画像全体について行う全体調整部と、上記全体調整部によって特定の画質が調整された画像全体の中で、上記特定の画質の値の違いによって区分される一部の画像について、さらに上記特定の画質に関する調整を行う部分調整部と、上記全体調整部に対する調整指示を入力するための全体調整用メニューと、上記部分調整部に対する調整指示を入力するための部分調整用メニューと、を並べて表示させる表示制御部と、被写体像を撮像する撮像部と、上記撮像部により撮像される画像データに画像処理を行う画像処理部と、を備え、上記全体調整部は、上記特定の画質として全体画像の解像感を、上記撮像部のピント位置で調整し、上記部分調整部は、上記特定の画質として一部の画像の解像感を、上記画像処理部による画像処理によって調整する。
【００１２】
第２の発明に係わる画質調整装置の制御方法は、被写体像を撮像する撮像部と、上記撮像部により撮像される画像データに画像処理を行う画像処理部と、上記画像処理部により画像処理さえる画像データを表示するための表示部を具備する画質調整装置の制御方法において、画質の全体調整のための調整指示を入力するための全体調整用メニューと、画質の部分調整のための調整指示を入力するための部分調整用メニューと、を並べて上記表示部に表示させ、特定の画質に関する調整を画像全体について行い、上記全体調整によって特定の画質が調整された画像全体の中で、上記特定の画質の値の違いによって区分される一部の画像について、さらに上記特定の画質に関する調整を行い、上記画像全体の中で上記特定の画質の値が相対的に大きい部分について上記特定の画質を調整する第１の部分調整を行い、上記画像全体の中で上記特定の画質の値が相対的に小さい部分について上記特定の画質を調整する第２の部分調整を行い、部分調整用メニューとして、上記第１の部分調整への調整指示を入力するための第１部分調整用メニューと、上記第２の部分調整への調整指示を入力するための第２部分調整用メニューを上記表示部に表示させ、上記特定の画質は解像感であって、上記撮像部のピント位置の調整を行うことにより上記画像全体の解像度を調整し、上記画像処理部により画像処理することによって、上記一部の画像の解像感を調整する。
【発明の効果】
【００１４】
第１、２の発明によれば、解像感の低い部分をそのままで解像感の高い部分をさらに解像感を向上させることができ、また解像感の高い部分をそのままで解像感の低い部分を向上させる等の調整を簡単に行うことができる。
【図面の簡単な説明】
【００１６】
【図１】本発明の一実施形態に係わるデジタルカメラの主として電気回路の構成を示すブロック図である。
【図２】本発明の一実施形態に係わるデジタルカメラにおいて、全体調整と部分調整の関係を示す図である。
【図３】本発明の一実施形態に係わるデジタルカメラにおいて、明るさ調整用の初期画面を示す図である。
【図４】本発明の一実施形態に係わるデジタルカメラにおいて、全体の明るさの調整用の画面を示す図である。
【図５】本発明の一実施形態におけるデジタルカメラにおいて、全体および部分の明るさの調整用の画面を示す図である。
【図６】本発明の一実施形態におけるデジタルカメラにおいて、全体および部分の明るさの調整用の画面を示す図である。
【図７】本発明の一実施形態におけるデジタルカメラにおいて、階調変換のγカーブを示す図である。
【図８】本発明の一実施形態に係わるデジタルカメラにおいて、ピント調整用の画面を示す図である。
【図９】本発明の一実施形態におけるデジタルカメラにおいて、全体および部分のピントの調整用の画面を示す図である。
【図１０】本発明の一実施形態におけるデジタルカメラにおいて、コントラストによるピント調整を説明する図である。
【図１１】本発明の一実施形態に係わるデジタルカメラの撮影モードの動作を示すフローチャートである。
【図１２】本発明の一実施形態に係わるデジタルカメラの項目メニュー表示処理の動作を示すフローチャートである。
【図１３】本発明の一実施形態に係わるデジタルカメラの変更画像作成処理の動作を示すフローチャートである。
【発明を実施するための形態】
【００１７】
以下、図面に従って本発明を適用したデジタルカメラを用いて好ましい実施形態について説明する。本発明の好ましい一実施形態に係わるデジタルカメラは、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体（画像記憶部）に記録される。記録媒体に記録された画像データは、再生モードを選択すると、表示部に再生表示することができる。
【００１８】
図１は、本発明の一実施形態に係わるデジタルカメラの構成を示すブロック図である。制御部（ＣＰＵ：Central Processing Unit）１１は、プログラム／データ記憶部１２に記憶された制御プログラムに従って動作し、デジタルカメラの全体制御を行う。制御部１１内には、調整制御部１２が設けられており、この調整制御部１２内には、全体調整部１２ａ、部分調整部１２ｂ、表示制御部１２ｃが設けられている。制御部１１内の調整制御部１２は、制御プログラムにより実行される処理の一部であるので、制御部１１に含まれる機能部として説明する。
【００１９】
調整制御部１２は、明るさやピント等の画像の画質に関する調整を行い、全体調整を行う全体調整部１２ａ、部分調整を行う部分調整部１２ｂ、および調整制御部１２による調整用の画像の表示を制御する表示制御部１２ｃを有する。全体調整部１２ａは、明るさやピント等、特定の画質に関する調整を画像全体について行う。
【００２０】
また、部分調整部１２ｂは、第１の部分調整部１２ｂ１と第２の部分調整部１２ｂ２を有する。第１および第２の部分調整部１２ｂ１、１２ｂ２は、全体調整部１２ａによって明るさやピント等の特定の画質が調整された画像全体の中で、特定の画質の値の違いによって区分される一部の画像について、さらに特定の画質に関する調整を行う。
【００２１】
例えば、特定の画質として、明るさの調整を行う場合、この調整は、図７に示すように、入力に対して出力をγ変換する際の変換カーブの変更によって行うことができる。全体調整は、暗い部分Ｐ１から明るい部分Ｐ２を含む全体でγ変換のカーブＬ（一点鎖点で表わされるセンタ値）を変更する。これに対して、部分調整は、暗い部分Ｐ１に対応する入力、若しくは明るい部分Ｐ２に対応する入力のいずれか入力に対してのみγ変換のカーブ（Ｌ１〜Ｌ４、またはＬ’１〜Ｌ’４）を変更し、画質の調整を行う。
【００２２】
表示制御部１２ｃは、全体調整部１２ａに対する調整指示を入力するための全体調整用メニューと、部分調整部１２ｂに対する調整指示を入力するための部分調整用メニューと、を、表示部２７に並べて表示させるための表示制御を行う。なお、全体調整部１２ａによって行われる全体調整と、部分調整部１２ｂによって行われる部分調整については、図２を用いて後述する。
【００２３】
制御部１１には、プログラム及びデータ記憶部１３、ボタン操作部１４、およびバス３０が接続されている。プログラム及びデータ記憶部１３には前述したように制御部１１において実行するプログラムや、この際使用する各種データが記憶されている。また、後述するライブガイド表示の際に表示するためのメニュー画像等の画像データも記憶されている。ボタン操作部１４は、ユーザがカメラに指示を与えるための各種操作部材を含み、操作状態を示す検知信号を制御部１１に出力する。各種操作部材としては、電源釦、レリーズ釦、十字釦、ライブガイドキー、戻る釦等を有する。
【００２４】
バス３０には、前述の制御部１１の他に、撮像部２０、ＳＤＲＡＭ２１、画像処理部２２、表示処理部２６、圧縮伸張部２３、および記録再生部２４が接続されている。撮像部２０は、被写体像を結像させるための撮影レンズ、この撮像レンズの駆動を行う撮影レンズ駆動機構、被写体像を画像データに変換するための撮像素子、及びこれらの処理回路、撮影レンズの光路中に介挿された絞り及びシャッタ等を含む。撮像部２０によって生成されたデジタル形式の画像データはバス３０に出力される。
【００２５】
また、撮像部２０内には、ＡＦ制御部２０ａが設けられている。ＡＦ制御部２０ａは、画像データの高周波成分を抽出し、この高周波成分がピーク値となるように、撮影レンズ駆動機構を駆動し、撮影レンズのピント位置を調節する。
【００２６】
ＳＤＲＡＭ（Dynamic Random Access Memory）２１は電気的に書き換え可能な揮発性の一時記憶メモリであり、撮像部２０から出力される画像データの一時記憶に用いられる。画像処理部２２は、撮像部２０から出力された画像データの画像処理を行い、ゲイン調整部２２ａ、階調変換部２２ｂ、ローパスフィルタ部２２ｃ、およびコントラスト調整部２２ｄを有する。
【００２７】
ゲイン調整部２２ａは、撮像部２０から出力される画像データのデジタル的増幅（デジタルゲイン調整処理）を行う。すなわち、画像データの内のＲＧＢの各データのゲインを調整することにより、画像全体の明るさを調節する。調整の際、増幅率を高くすることにより画像全体が明るくなり、増幅率を低くすることにより画像全体が暗くなる。
【００２８】
階調変換部２２ｂは、撮像部２０から出力される画像データのγ変換を行う際のγカーブの特性を変える。この階調変換部２２ｂは、前述の第１の部分調整部１２ｂ１による制御に従って比較的明るい部分Ｐ１に対応する入力に対してγ変換を行う際のγカーブの特性を変え（図７に示す例では、Ｌ１〜Ｌ４）、また第２の部分調整部１２ｂ２による制御に従って比較的暗い部分Ｐ２に対応する入力に対してγ変換を行う際のγカーブの特性を変える（図７に示す例では、Ｌ’１〜Ｌ’４）。
【００２９】
ローパスフィルタ部２２ｃは、隣接する画素同士で画素加算を行ってローパスフィルタ処理を行い、画像の解像度（鮮鋭度、解像感）を低下させる。また、ローパスフィルタ部２２ｃは、解像度の高い部分と、解像度の低い部分を、それぞれ別個に調節することができる。すなわち、前述の第１の部分調整部１２ｂ１による制御に従って比較的解像度の高い部分に対応する入力に対するローパスフィルタ処理と、第２の部分調整部１２ｂ２による制御に従って比較的解像度の低い部分に対応する入力に対するローパスフィルタ処理を、それぞれ別個に行うことができる。
【００３０】
コントラスト調整部２２ｄは、画像のコントラスト、すなわち画像の明るい部分と暗い部分の輝度の差の調整を行う。コントラストを向上させることにより、画像のエッジ部分をくっきりさせ、またコントラストを低下させることにより、画像のエッジ部分を滑らかにしピントが甘くなったようすることができる。また、コントラスト調整部２２ｄは、コントラストの高い部分と、コントラストの低い部分を、それぞれ別個に調節することができる。すなわち、前述の第１の部分調整部１２ｂ１による制御に従って比較的コントラストの高い部分に対応する入力に対するコントラスト調整処理と、第２の部分調整部１２ｂ２による制御に従って比較的コントラストの低い部分に対応する入力に対するコントラスト調整処理を、それぞれ別個に行うことが可能である。
【００３１】
画像処理部２２は、前述した画像処理の他、ホワイトバランス、色補正、ライブビュー表示用画像生成、動画画像生成等の各種の画像処理を行なう。また圧縮伸張部２３はＳＤＲＡＭ２１に一時記憶された静止画や動画の画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００３２】
表示処理部２６は、撮影時にはライブビュー表示、再生時には再生画像を、表示部２７に表示させる。また、表示制御部１２ｃからの指示に基づき、後述する全体調整用メニュー、部分調整用メニュー等の画像をライブビュー画像に合成する合成処理を行う。表示部２７は、表示処理部２６に接続されており、カメラ１０の本体の背面等に配置された液晶モニタや有機ＥＬ等のディスプレイを有し、表示処理部２６の制御によりディスプレイの画面に所定の画像が表示される。
【００３３】
記録再生部２４は、圧縮伸張部２３において圧縮された画像データを画像記憶部２５に記憶し、また、画像記憶部２５に記憶された撮影画像の画像データを読み出す。この読み出された画像データは、圧縮伸張部２３において伸張され、この伸張された画像データに基づいて、表示部２７に画像が再生表示される。画像記憶部２５は、記録再生部２４に接続されており、デジタルカメラ本体に内蔵、または装填可能な画像データの記録媒体である。
【００３４】
次に、図２を用いて、調整部１２における全体調整と部分調整について説明する。調整部１２によって調整される画質は、明るさ、ピント等があり、これらの画質の調整は以下の通りである。まず、明るさの全体調整は、ゲイン調整部２２ａによるゲイン調整と、撮像部２０の絞りやシャッタによる調整がある。
【００３５】
明るさの全体調整を行うためのゲイン調整は、ＩＳＯ感度の調整に対応し、ＩＳＯ感度を高くすることにより全体に明るい画像となり、ＩＳＯ感度を低くすることにより全体に暗い画像となる。また、絞りを開くことにより全体に明るい画像となり、絞りを絞り込むことにより全体に暗い画像となる。さらに、シャッタ速度を遅くすることにより全体に明るい画像となり、シャッタ速度を速くすることにより全体に暗い画像となる。
【００３６】
また、明るさの部分調整は、階調変換部２２ｂによって行う。階調変換部２２ｂは、前述したように、明るい部分Ｐ２と暗い部分Ｐ１に対して、それぞれ別個にγ変換のカーブを変更することができる。したがって、明るい部分に対応する入力に対して、一層明るく、または暗く、暗い部分に対応する入力対して、一層暗く、または明るくなるように、部分調整が可能である。
【００３７】
次に、ピントに対する全体調整は、ＡＦ制御部２０ａによって行う。また、ＡＦ制御部２０ａは、ユーザの指示に応じて、撮影レンズ駆動機構によってマニュアルで撮影レンズのピント位置を調節することができる。したがって、ＡＦ制御部２０ａによって、画像の全体のピント位置を自動調節することができ、さらにマニュアル操作によっても、前側または後ろ側にピント位置をずらすことができる。
【００３８】
また、ピントに対する部分調整は、コントラスト調整部２２ｃとローパスフィルタ２２ｄによって行う。第１の部分調整は、ピントが合ってくっきり見えるようにする調整であり、本実施形態においては、コントラスト調整部２２ｄによって調節する。第２の部分調整は、ピントが合っていないように、言い換えるとピントが甘く見えるようにする調整であって、本実施形態においては、ローパスフィルタ部２２ｃとコントラスト調整部２２ｄによって調節する。
【００３９】
次に、本実施形態における明るさの全体調整と部分調整について、図３ないし図７を用いて説明する。図３（ａ）は、表示部２７におけるライブビュー表示のスタート画面（デフォルト画面）である。ライブビュー表示は、撮像部２０から出力される画像データに基づいて、動画で被写体像観察用に表示部２７に表示される画像である。撮影者はこのライブビュー表示を観察し、構図とシャッタタイミングの決定を行う。
【００４０】
図３（ａ）に示すスタート画面において、撮影者がボタン操作部１４の１つであるライブガイドキーを押下げると、図３（ｂ）に示すように、ライブガイド表示が表示される。ライブガイド表示では、表示部２７の画面の右側にライブガイドのための項目メニュー５０が、ライブビュー画像に重畳して表示される。項目メニュー５０としては、第１のアイコン５１ａ、第２のアイコン５１ｂ、第３のアイコン５１ｃ、第４のアイコン５１ｄの４つアイコンが表示される。
【００４１】
第１のアイコン５１ａは、彩度の調整用アイコンであり、画面の色を鮮やかにしたり、逆に色を柔らかくするように彩度を調整する。第２のアイコン５１ｂは、ピント状態の調整用のアイコンであり、近くや遠くをきれいにぼかしたり、逆に近くから遠くまでピントを合わせるようにピントを調整する。第３のアイコン５１ｃは、明暗の調整用のアイコンであり、画面を明るくしたり、逆に暗くするように画面の明暗を調整する。第４のアイコン５１ｄは、色調の調整用アイコンであり、画面に赤みを帯びさせ暖かな雰囲気の色調にしたり、逆に青みを帯びさせクールな雰囲気の色調に調整する。
【００４２】
項目メニュー５０に表示される各アイコン５１ａ〜５１ｄの内、現在指定されているアイコンは、ボタン操作部１４の十字釦を操作することによって移動させ、ＯＫボタンによって選択することができる。現在指定されているアイコンの周囲には、移動方向を示すためのカーソル５２が表示される。また、表示部２７の画面の上側または下側には、項目ガイド５３が表示されており、この項目ガイド５３は指定されているアイコンの項目を説明する。
【００４３】
図３（ｂ）に示す例では、彩度を調整するための第１のアイコン５１ａが指定されており、この第１のアイコン５１ａの下側には、十字釦による移動方向を示すためのカーソル５２が表示され、また画面上側には、第１のアイコン５１ａの項目ガイド５３として、「色を鮮やかに／色を柔らかく」が表示されている。ユーザは、この項目ガイド５３を見ることによって、第１のアイコンの調整内容を知ることができる。
【００４４】
図３（ｂ）に示す状態から、十字釦の下キーを押下げると、カーソル５２は第２のアイコン５１ｂ→第３のアイコン５１ｃ→第４のアイコン５１ｄと順に移動する。第２のアイコン５１ｂと第３のアイコン５１ｃでは、カーソル５２は上下に移動可能であることから、それぞれのアイコンの上下にカーソル５２が表示される。図３（ｃ）に示す例では、第３のアイコン５１ｃが指定されていることから、項目ガイド５３としては、「明るく／暗く」と表示され、明暗の調整が可能であることを示している。
【００４５】
図３（ｃ）に示すような、第３のアイコン５１ｃを指定した状態で、ユーザがボタン操作部１４の内のＯＫボタンを操作し、第３のアイコン５１ｃを選択すると、図４（ａ）に示すように、画像全体の明暗の調整を行う画面が表示される。この画像の明暗調整画面においては、表示部２７の画面の右側に、ライブガイドの全体調整用メニューとして、全体ガイドバー５５とスライダー５６が表示される。
【００４６】
スライダー５６は、全体ガイドバー５５を上下に移動し、スライダー５６の上下の位置が明るさを示す。また、画面の右上と右下には、それぞれ全体ガイドバー５５、スライダー５６によって調整される項目を説明するための項目ガイド５３ａ、５３ｂが表示される。図４（ａ）に示す例では、明暗調整画面に切り換えられた直後であることから、スライダー５６は、輝度の中心点（センタ）にあり、スライダー５６を上に移動させると、「もっと明るく」なることが項目ガイド５３ａに表示され、スライダー５６を下に移動させると、「もっと暗く」なることが項目ガイド５３ｂに表示される。
【００４７】
なお、スライダー５６の周囲には、図４（ｄ）の拡大図に示すように、アイコン５１の移動可能な方向を示す矢印がカーソル５２ａ〜５２ｃとして表示される。すなわち、アイコン５１が上方に移動可能な場合にはカーソル５２ａが、左方に移動可能な場合にはカーソル５２ｂが、下方に移動可能な場合にはカーソル５２ｃが表示される。ユーザは、カーソルを見て、移動可能な方向を判断でき、十字釦を操作する。
【００４８】
図４（ａ）に示されている状態から、十字釦の内の上キーを押下げると、スライダー５６は全体ガイドバー５５に沿って上に移動し、図４（ｂ）に示すように、表示部２７の画面の明るさが増加する。また、十字釦の内の下キーを押下げると、スライダー５６は全体ガイドバー５５に沿って下に移動し、図４（ｃ）に示すように、表示部２７の画面の明るさが低下する。なお、図４に示す例では、それぞれ２ＥＶの補正量で、画像を明るくし、または画像を暗くするように補正できる。
【００４９】
図４に示す画面においては、画像全体の明暗を調整したが、ユーザが高輝度または低輝度の部分のみについて調整を行いたい場合には、ユーザはボタン操作部１４の内の十字釦の左キーを押下げる。この操作によって、図５（ａ）に示すように、ライブガイドの全体調整用のメニューに加えて、部分調整用のメニューが表示される。
【００５０】
すなわち、全体ガイドバー５５の左側に全体ガイドバー５５と平行に部分ガイドバー５５ａが表示され、この部分ガイドバー５５ａに沿って上下に移動するスライダー５６ａが表示される。スライダー５６ａ内には、選択されている第３のアイコン５１ｃが表示され、またスライダー５６ａの周囲には十字釦によって移動可能な方向を示すカーソル５２が４か所表示される。部分ガイドバー５５ａおよびスライダー５６ａによって、第１の部分調整用メニューが構成される。この第１の部分調整用メニューによって高輝度の部分の部分調整を行うことができる。
【００５１】
また、全体ガイドバー５５上には、画像全体の輝度の調整位置を示すためのポインタ５７が表示される。すなわち、スライダー５６を高輝度側または低輝度側に移動させた後に、部分調整を行う場合があるが、ポインタ５７は、その際の画像全体の補正量を示す。
【００５２】
表示部２７の画面の上方には、スライダー５６ａを上に移動させると、「明るいところをもっと明るく」なることを示す項目ガイド５３ａが表示されている。また表示部２７の画面の下方には、スライダー５６ａを下に移動させると、「明るいところを暗く」することを示す項目ガイド５３ｂが表示されている。
【００５３】
図４の状態から十字釦の左キーを操作し、第１の部分調整用メニューを表示させた状態では、図５（ａ）に示すように、スライダー５６ａは中心（センタ）位置にある。この状態において、下キーを操作し、スライダー５６ａを下方に移動させると、図５（ｂ）に示すように、画像の内の明るい部分が暗くなるように画像調整される。この結果、雲６１や太陽６２のように、明るい部分が暗くなるように調整される。
【００５４】
また、図５（ａ）に示すようなスライダー５６ａが中心位置にある状態から、上キーを操作し、スライダー５６ａを上方に移動させると、図５（ｃ）に示すように、画像の内の明るい部分がさらに明るくなるように画像調整される。この結果、雲６１や太陽６２のように、明るい部分がさらに明るくなるように調整される。
【００５５】
また、図４（ｂ）に示すように、適正露光よりも明るさを増加させた状態で十字釦の左キーを操作すると、図６（ａ）に示すような部分調整用のメニュー画面となる。図４（ｂ）の状態は、全体に高輝度になるように調整されていることから、全体に明るくなっている。この状態から、スライダー５６ａを上方に移動させると、図６（ｂ）に示すようなさらに明るい画像となる。雲６１や太陽６２のような明るい部分が、ほとんど白飛びする画像となる。
【００５６】
図５（ａ）において、部分ガイドバー５５ａの左側には、部分ガイドバー５５ａと平行に部分ガイドバー５５ｂが表示される。第１の部分調整メニュー画面において、十字釦の左キーを１回操作すると、または、全体調整メニュー画面において、左キーを２回操作すると、図６（ｃ）に示すように、第２の部分調整メニュー画面になる。
【００５７】
第２の部分調整メニュー画面においては、部分ガイドバー５５ｂに沿って移動するスライダー５６ｂが表示され、このスライダー５６ｂ内には、選択されている第３のアイコン５１ｃが表示され、またスライダー５６ａの周囲には十字釦によって移動可能な方向を示すカーソル５２が上下および右の計３か所表示される。部分ガイドバー５５ｂおよびスライダー５６ｂによって、第２の部分調整用メニューが構成される。この第２の部分調整用メニューによって低輝度の部分の部分調整を行うことができる。
【００５８】
図６（ｃ）に示した例は、図４（ｃ）の状態において、左キーを２回押し下げた場合であり。すなわち、図４（ｃ）において全体に暗くなるように調整し、さらに第２の部分調整用メニューによって暗い部分を更に暗くするか、逆に暗い部分を明るくなるように調整する場合である。図６（ｃ）では、スライダー５６ｂは、部分ガイドバー５５ｂの中心に位置しており、この状態から、下キーを操作すると、図６（ｄ）に示すように、暗い部分がさらに暗くなるように部分調整が行われる。
【００５９】
このように、本実施形態においては、明るさについて部分調整を行う場合には、γカーブの内、明るい部分Ｐ１と暗い部分Ｐ２のカーブの特性を個別に調整を行うようにしている。すなわち、図７に示す一点鎖線Ｌは、γカーブのセンタ値であり、このγカーブを中心にして、明るい部分Ｐ１を調整する場合には、Ｐ１部分のＬ３〜Ｌ４をより明るくなるように特性を変化させ、Ｌ１〜Ｌ２は暗くなるように特性を変化させている。また暗い部分Ｐ２を調整する場合には、Ｐ２部分のＬ’１からＬ’２をより明るくなるように特性を変化させ、Ｌ’３〜Ｌ’４を暗くなるように特性を変化させている。
【００６０】
次に、図８ないし図１０を用いて、ピントを調整する場合について、説明する。本実施形態においては、ピントの全体調整は撮像部２０の撮影レンズ駆動機構によって行い、ピントの部分調整はローパスフィルタ部２２ｃおよびコントラスト調整部２２ｄによって行う。
【００６１】
まず、図１０を用いて、コントラスト調整によって行う部分的なピント調整について説明する。図１０（ａ）に、横軸に画素位置をとり、縦軸に輝度レベルをとった場合の原信号カーブの１例を示す。この原信号カーブに対して、コントラスト調整部２２ｄによってコントラスト強調処理を行うと、図１０（ｂ）に示すように、画像のエッジ部分が強調され、あたかもピントの合ったような画像を得ることができる。一方、コントラスト調整部２２によって、コントラスト低下処理を行うと、図１０（ｃ）に示すように画像のエッジ部分がゆるくなり、あたかもピントが甘くなったような画像を得ることができる。
【００６２】
コントラスト調整部２２ｄは、高周波成分のみを抽出した画像データまたは低周波成分のみを抽出した画像データに対してのみコントラスト強調処理や、コントラスト低下処理を行うことができる。このため、ピントの比較的あっている部分に対してのみピントをくっきりさせたり、またはピントの比較的あっていない部分に対してのみピントを甘くする等の処理を施すことができる。
【００６３】
また、ローパスフィルタ部２２ｃによってローパスフィルタ処理を施すことにより、高周波成分を低下させることから、ピントを甘くしたことと同等の効果を得ることができる。また、ローパスフィルタ部２２ｃは、高周波成分のみを抽出した画像データまたは低周波成分のみを抽出した画像データに対してのみローパスフィルタ処理を行うことができる。このため、ピントの比較的あっている部分に対してのみ、またはピントの比較的あっていない部分に対してのみ、ピントを甘くする等の処理を施すことができる。
【００６４】
次に、上述したようなピント調整を行うガイドメニュー表示について、図８および図９を用いて説明する。図８（ａ）は、図３（ｂ）に示したライブガイド表示において、カーソル５２を用いて、第２のアイコン５１ｂを指定した状態を示す。この状態でＯＫ釦を押下げ、第２のアイコン５１ｂを選択すると、図８（ｂ）に示すように、全体ガイドバー５５と、この全体ガイドバー５５に沿って上下に移動するスライダー５６が表示される。
【００６５】
また、表示部２７の画面の上部には、スライダー５６を上に移動させることにより、前ピン、すなわちＡＦピント位置より手前側にピント合わせる状態なることを示す項目ガイド５３ａが表示される。また、表示部２７の画面の下部には、スライダー５６を下に移動させることにより、後ピン、すなわちＡＦピント位置より遠い側にピント合わせる状態なることを示す項目ガイド５３ｂが表示される。
【００６６】
ライブガイド表示において、第２のアイコン５１ｂを選択した状態では、図９（ａ）に示すように、スライダー５６はガイドバー５５のほぼ中央に位置している。十字釦を操作することにより、スライダー５６を上下に移動させると、移動量に応じて撮像部２０の撮影レンズ駆動機構は撮影レンズを移動させるので、全体としてマニュアルでピント位置が移動する。
【００６７】
また、ユーザが、ピントが合って部分や、ピントが甘い部分についてさらに調整を行いたい場合には、十字釦の左キーを押下げ、図９（ｂ）〜（ｅ）に示すような部分調整メニュー表示を行わせる。部分調整メニュー表示では、ピント調整の場合と同様、全体ガイドバー５５の左側にこれと並行して部分ガイドバー５５ａ、５５ｂが表示される。
【００６８】
左キーが１回操作されただけの場合には、部分ガイドバー５５ａに沿って上下に移動するスライダー５６ａが表示される。この状態では、表示部２７の画面の上部には、スライダー５６ａを上方に移動させると、この操作によって「合焦をもっとクッキリ」となることを示す項目ガイド５３ａが表示される。また、画面の下部には、スライダー５６ａを下方に移動させると、この操作によって、「合焦をもっとボンヤリ」となることを示す項目ガイド５３ｂが表示される。ユーザはこの項目ガイド５３ａ、５３ｂの指示に沿ってスライダー５５ａを操作すればよい。
【００６９】
すなわち、スライダー５５ａを上方に移動させると、図９（ｂ）に示すように、被写体像のピントの合っている部分がさらにピントがあったように見えるように画像処理が施される。一方、スライダー５５ａを下方に移動させると、図９（ｃ）に示すように、被写体のピントの合っている部分のピントが甘く見えるように画像処理が施される。
【００７０】
また、左キーが２回操作されると、部分ガイドバー５５ｂに沿って上下に移動するスライダー５６ｂが表示される。この状態では、表示部２７の画面の上部には、スライダー５６ｂを上方に移動させると、この操作によって「非合焦をもっとクッキリ」となることを示す項目ガイド５３ａが表示される。また、画面の下部には、スライダー５６ｂを下方に移動させると、この操作によって、「非合焦をもっとボンヤリ」となることを示す項目ガイド５３ｂが表示される。ユーザはこの項目ガイド５３ａ、５３ｂの指示に沿ってスライダー５５ｂを操作すればよい。
【００７１】
すなわち、スライダー５５ｂを上方に移動させると、図９（ｄ）に示すように、被写体像のピントの合っていない部分についてピントがあったように見えるように画像処理が施される。一方、スライダー５５ｂを下方に移動させると、図９（ｅ）に示すように、被写体のピントの合っていない部分のピントがさらに甘く見えるように画像処理が施される。
【００７２】
なお、ピントが甘くなるようにする画像処理は、前述したようにローパスフィルタ部２２ｃおよびコントラスト調整部２２ｄによって行われる。また、ピントが合ったように見えるようにする画像処理は、前述したようにコントラスト調整部２２ｄによって行われる。
【００７３】
次に、本実施形態の撮影モードを実行するためのフローについて、図１１ないし図１３に示すフローチャートを用いて説明する。このフローはプログラム／データ記憶部１２に記憶されているプログラムに従って制御部１１によって実行される。撮影モードに入ると、まず、ライブガイドを表示するか否かの判定を行う（Ｓ１１）。ボタン操作部１４のライブガイドキーを操作すると表示部２７の画面にライブガイドが表示されることから、このステップでは、ライブガイドキーが操作されたか否かを判定する。
【００７４】
ステップＳ１１における判定の結果、ライブガイド表示を行わない場合には、通常のライブビュー表示を行う（Ｓ１３）。ここでは、撮像部２０から出力される画像データを画像処理部２２によって処理し、表示処理部２６を通じて表示部２７にライブビュー表示を行う。撮影者は、ライブビュー表示を観察することによって構図を決定し、シャッタレリーズを行うことができる。
【００７５】
ステップＳ１１における判定の結果、ライブガイドを表示する場合には、次に、ライブガイド表示のための処理を行う（Ｓ１２）。ここでは、全体調整用のメニューや部分調整用のメニューをライブビューに重畳して表示すると共に、カーソルの移動に合わせた画像処理等を行う。このライブガイド表示処理の詳細については、図１２を用いて後述する。
【００７６】
ステップＳ１２においてライブガイド表示処理を行うと、またはステップＳ１３においてライブビュー表示を行うと、次に、レリーズ操作がなされたか否かの判定を行う（Ｓ１４）。ユーザが構図を決めシャッタレリーズを行うことを決めると、ボタン操作部１４のレリーズ釦が押下げるので、ここでは、レリーズ釦が押下げられているか否かの判定を行う。
【００７７】
ステップＳ１４における判定の結果、レリーズ操作がなされた場合には、次に、撮影処理を行う（Ｓ１５）。撮影処理は、撮像部２０から出力される画像データを画像処理部２２によって画像処理し、圧縮伸張部２３によって画像圧縮した後に、画像記憶部２５に記憶する。
【００７８】
ステップＳ１５において撮影処理を行うと、またはステップＳ１４における判定の結果、レリーズ操作がなされていなかった場合には、次に、電源オフ操作がなされたか否かの判定を行う（Ｓ１６）。このステップでは、ボタン操作部１４の電源釦の操作状態に基づいて判定する。この判定の結果、電源オフ操作がなされていなかった場合には、ステップＳ１１に戻り、前述の動作を実行する。一方、判定の結果、電源オフ操作がなされた場合には、電源オフ処理を行い、撮影モードの動作を終了する。
【００７９】
次に、ステップＳ１２におけるライブガイド表示処理について、図１２に示すフローチャートを用いて説明する。このフローに入ると、まず、スタートか否かの判定を行う（Ｓ２１）。ライブガイド表示処理に、初めて入った際には、図３（ｂ）に示したようなライブガイドのデフォルト画像を表示するので、このステップでは、初めて入ったか否かを判定する。
【００８０】
ステップＳ２１における判定の結果、スタート（初めて入った）であった場合には、デフォルトの項目メニュー画像を作成し表示する（Ｓ２２）。項目メニュー画像は、プログラム／データ記憶部１３に記憶されているので、この画像データを読み出し、図３（ｂ）に示したように、ライブビュー表示に項目メニュー画像を重畳して表示する。
【００８１】
ステップＳ２２において項目メニュー画像の作成表示を行うと、またはステップＳ２１における判定の結果、スタートでなかった場合には、次に、項目メニュー表示中であるか否かの判定を行う（Ｓ２３）。ここでは、図３（ｂ）に示すような項目メニューを表示しているか、または図４（ａ）や図５（ａ）に示すような全体調整用のメニューや部分調整用のメニュー（以下調整用のメニューと称す）を表示しているかを判定する。
【００８２】
ステップＳ２３における判定の結果、項目メニューの表示中であれば、次に、この項目メニューでカーソル移動の指示がなされたか否かの判定を行う（Ｓ２４）。前述したように、ボタン操作部１４の十字釦の上下キーを操作することにより、アイコン５１ａ〜５１ｄの指定を変更することが可能である。そこで、このステップでは、上下キーが操作されたか否かの判定を行う。
【００８３】
ステップＳ２４における判定の結果、カーソル移動がなされていた場合には、次に、項目メニューのカーソルを移動する（Ｓ２５）。ここでは、上下キーの操作状態に応じて、アイコン５１ａ〜５１ｄの指定を順次変更し、指定されているアイコン５１ａ〜５１ｄには、カーソル５２を表示する。
【００８４】
ステップＳ５２においてカーソル移動を行うと、またはステップＳ２４における判定の結果、カーソル移動が指示されていなかった場合には、次に、調整用メニュー表示の切換え指示がなされたか否かの判定を行う（Ｓ２６）。項目メニュー表示中に、左キーが操作されると図４（ａ）や図５（ａ）に示すような調整用のメニューの表示を行うことから、このステップでは、左キーの操作状態を判定する。
【００８５】
ステップＳ２６における判定の結果、調整用のメニュー表示の切換え指示が有った場合には、カーソルの項目に対応した調整用のメニューを表示する（Ｓ２７）。例えば、図４（ａ）に示すように第３のアイコン５１ｃが指定されている状態で左キーが操作されると、図５（ａ）に示すような全体および部分調整用のメニューが表示されたライブガイドを表示する。
【００８６】
ステップＳ２３における判定の結果、項目メニューの表示中でなかった場合には、次に調整用のメニューの表示を行う（Ｓ３１）。このライブガイド表示では、例えば、図５（ａ）に示すように、全体調整用の全体ガイドバー５５と、部分調整用の部分ガイドバー５５ａ、５５ｂを表示する。また、選択されているガイドバー５５、５５ａ、５５ｂに応じて、スライダー５６、５６ａ、５６ｂを表示する。
【００８７】
調整用のメニューの表示中には、次に、項目メニュー表示へ戻すような切換え指示があったか否かの判定を行う（Ｓ３２）。ここでは、戻る釦が操作されると、項目メニュー表示へ戻るとして、戻る釦の操作状態を判定する。この判定の結果、項目メニュー表示に切換え指示があった場合には、項目メニュー表示を行う（Ｓ３３）。ここでは、前述したような図３（ｂ）に示す項目メニュー表示を行う。
【００８８】
一方、ステップＳ３２における判定の結果、項目メニュー表示への切換え指示がなかった場合には、次に、調整用のメニューでカーソル移動の指示が有ったか否かの判定を行う（Ｓ３４）。前述したように、カーソル移動は、十字釦の上下左右キーの操作によって行うことから、ここでは、十字釦が操作されたか否かを判定する。
【００８９】
ステップＳ３４における判定の結果、カーソル移動指示がなされた場合には、次に、変更画像作成処理を行う（Ｓ３５）。ここでは、選択されたライブガイドに応じて画像処理を行う。例えば、画像の明暗を調整する第３のアイコン５１ｃが選択され、スライダー５６、５６ａ、５６ｂが移動された場合には、スライダーの移動量に応じて、画像の明暗を調整する。この変更画像作成処理の詳細については、図１３を用いて後述する。
【００９０】
ステップＳ２７、Ｓ３３、Ｓ３５における処理を行うと、またはステップＳ２６における判定の結果、調整用のメニュー表示切換え指示がなかった場合、またはステップＳ３４における判定の結果、カーソル移動指示がなかった場合には、調整用のメニュー表示のまま、元のフローに戻る。
【００９１】
次に、ステップＳ３５における変更画像作成処理について、図１３に示すフローチャートを用いて説明する。このフローに入ると、まず、ライブガイドで選択された項目が「明るさ」か否かの判定を行う（Ｓ４１）。図３（ｂ）に示すような項目メニュー表示時に、画像の明暗を調整するための第３のアイコン５１ｃが選択された場合には、図４（ａ）、図５（ａ）に示すような明るさ調整用の全体ガイドバー５５や、部分ガイドバー５５ａ、５５ｂが表示される。そこで、このステップでは、第３のアイコン５１ｃが選択された否かの判定を行う。
【００９２】
ステップＳ４１における判定の結果、「明るさ」が選択されていた場合には、次に、全体ガイドでスライダー移動か否かの判定を行う（Ｓ４２）。ユーザが画像全体の明暗を調整した場合には、上下キーを操作することによって、全体ガイドバー５５に沿って上下に移動するスライダー５６を移動させる。このステップでは、スライダー５６の移動を判定する。
【００９３】
ステップＳ４２における判定の結果、全体ガイドでスライダーが移動した場合には、スライダーの位置に応じてゲイン調整を行う（Ｓ４３）。ここでは、画像処理部２２内のゲイン調整部２２ａによってＩＳＯ感度を調整し、または撮像部２０の絞り値やシャッタ速度値を調整することによって画像全体の明るさの調整を行う。
【００９４】
ステップＳ４２における判定の結果、全体ガイドでスライダーの移動を行っていなかった場合には、次に、部分ガイドでスライダーの移動を行ったか否かの判定を行う（Ｓ４４）。ユーザが画像の中で明るい部分、または暗い部分のみの明暗を調整した場合には、部分ガイドバー５５ａ、５５ｂに沿って上下に移動するスライダー５６ａ、５６ｂを移動させる。このステップでは、スライダー５６ａ、５６ｂの移動を判定する。
【００９５】
ステップＳ４４における判定の結果、部分ガイドでスライダーの移動があった場合には、次に、スライダーの位置に応じて、階調調整を行う（Ｓ４５）。図５および図６を用いて前述したように、スライダー５６ａを操作した場合には、画像の中で明るい部分の明暗の調整を行い、スライダー５６ｂを操作した場合には、画像の中で暗い部分の明暗の調整を行う。
【００９６】
ステップＳ４１における判定の結果、ライブガイドで選択された項目が「明るさ」でなかった場合には、次に、ライブガイドで選択された項目が「ピント」か否かの判定を行う（Ｓ５１）。図３（ｂ）に示すような項目メニュー表示時に、画像のピントを調整するための第２のアイコン５１ｂが選択された場合には、図８（ａ）、図９（ａ）に示すようなピント調整用の全体ガイドバー５５や、部分ガイドバー５５ａ、５５ｂが表示される。そこで、このステップでは、第３のアイコン５１ｃが選択された否かの判定を行う。
【００９７】
ステップＳ５１における判定の結果、ライブガイドで選択された項目が「ピント」であった場合には、次に、全体ガイドでスライダーが移動か否かの判定を行う（Ｓ５２）。ユーザが画像全体のピントを調整した場合には、上下キーを操作することによって、全体ガイドバー５５に沿って上下に移動するスライダー５６を移動させる。このステップでは、スライダー５６の移動を判定する。
【００９８】
ステップＳ５２における判定の結果、全体ガイドでスライダーが移動した場合には、スライダーの位置に応じてピント調整を行う（Ｓ５３）。ここでは、撮像部２０内の撮影レンズ駆動機構によって、スライダー５６の位置に応じて撮影レンズを前ピン位置や後ピン位置に駆動し、画像全体のピント調整を行う。
【００９９】
ステップＳ５２における判定の結果、全体ガイドでスライダーの移動を行っていなかった場合には、次に、部分ガイドでスライダーの移動を行ったか否かの判定を行う（Ｓ５４）。ユーザが画像の中でピントの合っている部分、またはピントの合っていない部分のみのピント状態を調整した場合には、部分ガイドバー５５ａ、５５ｂに沿って上下に移動するスライダー５６ａ、５６ｂを移動させる。このステップでは、スライダー５６ａ、５６ｂの移動を判定する。
【０１００】
ステップＳ５４における判定の結果、部分ガイドでスライダーの移動があった場合には、次に、スライダーの位置に応じて、ローパス・コントラスト調整を行う（Ｓ５５）。図９を用いて前述したように、スライダー５６ａを操作した場合には、画像の中でピントの合っている部分のピント状態の調整を行い、スライダー５６ｂを操作した場合には、画像の中でピントの合っていない部分のピント状態の調整を行う。
【０１０１】
ステップＳ５１における判定の結果、ライブガイドの項目が「ピント」ではなかった場合には、その他の処理を行う（Ｓ６１）。本実施形態においては、ライブガイドの項目メニューとして、上述した「明るさ」と「ピント」以外に、図３（ｂ）に示すように、画像の彩度を調整する第１のアイコン５１ａおよび画像の色調を調整する第４のアイコン５１ｄが設けられている。このステップＳ６１においては、これらのアイコンが選択された場合の調整を行う。ここでの調整は、「明るさ」や「ピント」の場合と同様、全体調整を行うとともに、高彩度や低彩度の部分について独立に調整を行うことができ、また赤みや青みのある部分について独立に調整を行うことができる。
【０１０２】
前述のステップＳ４５、Ｓ４３、Ｓ５５、Ｓ５３、Ｓ６１における処理を行うと、またはステップＳ４４・Ｓ５４における判定の結果、スライダー移動がなかった場合には、変更画像作成処理のフローを終了し、元のフローに戻る。
【０１０３】
以上説明したように、本発明の一実施形態においては、明るさやピント等の特定の画質に関する調整を画像全体について行う全体調整部１２ａと、全体調整部１２ａによって特定の画質が調整された画像全体の中で、特定の画質の値の違いによって区分される一部の画像について、さらに特定の画質に関する調整を行う部分調整部１２ｂを設けている。このため、画質の全体の調整と一部分の調整を比較しながら同時に行うことができる。
【０１０４】
なお、本実施形態においては、部分調整は、第１の部分調整部１２ｂ１と第２の部分調整部１２ｂ２によって、２分割して行っていたが、これに限らず、３分割でも４分割でもそれ以上に分割しても構わない。また、分割にあたっては、いずれかの部分に属するように、くまなく分割していたが、画質の特性値の大きい部分や、小さい部分等、一部分のみを分割し、部分調整を行うようにしても勿論かまわない。
【０１０５】
また、本発明の一実施形態においては、ガイドバーは画面の右側に表示したが、これに限らず、左側でも、上側、下側であっても勿論かまわない。また、バー形式で表示したが、補正量を視覚的に認識できる表示であれば、バー形式に限られない。さらに、本発明の一実施形態においては、ピントの調整にあたって、ローパスフィルタを用いたが、ハイパスフィルタ等の他の画像処理を利用するようにしても勿論かまわない。
【０１０６】
さらに、本発明の一実施形態においては、画質調整装置として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、画像を処理する装置であれば、本発明を適用することができる。また、上述のフローチャートは、プログラムによって実施されると説明したが、ハードウエアによって実施するようにしても当然よい。
【０１０７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１０８】
１０・・・デジタルカメラ、１１・・・制御部（ＣＰＵ）、１２・・・調整制御部、１２ａ・・・全体調整部、１２ｂ・・・部分調整部、１２ｂ１・・・第１の部分調整部、１２ｂ２・・・第２の部分調整部、１２ｃ・・・表示制御部、１３・・・プログラム／データ記憶部、１４・・・ボタン操作部、２０・・・撮像部、２０ａ・・・ＡＦ制御部、２１・・・ＳＤＲＡＭ、２２・・・画像処理部、２２ａ・・・ゲイン調整部、２２ｂ・・・階調変換部、２２ｃ・・・ローパスフィルタ部、２２ｄ・・・コントラスト調整部、２３・・・圧縮伸張部、２４・・・記録再生部、２５・・・画像記憶部、２６・・・表示処理部、２７・・・表示部、３０・・・バス、５０・・・項目メニュー、５１ａ・・・第１のアイコン、５１ｂ・・・第２のアイコン、５１ｃ・・・第３のアイコン、５１ｄ・・・第４のアイコン、５２・・・カーソル、５３・・・項目ガイド、５３ａ〜５３ｂ・・・項目ガイド、５５・・・全体ガイドバー、５５ａ〜５５ｂ・・・部分ガイドバー、５６・・・スライダー、５６ａ〜５６ｂ・・・スライダー、５７・・・ポイント、６１・・・雲、６２・・・太陽
【図１】
0005562664.tif 000002
【図２】
0005562664.tif 000003
【図３】
0005562664.tif 000004
【図４】
0005562664.tif 000005
【図５】
0005562664.tif 000006
【図６】
0005562664.tif 000007
【図７】
0005562664.tif 000008
【図８】
0005562664.tif 000009
【図９】
0005562664.tif 000010
【図１０】
0005562664.tif 000011
【図１１】
0005562664.tif 000012
【図１２】
0005562664.tif 000013
【図１３】
0005562664.tif 000014